(57)【特許請求の範囲】
【請求項１】
ディスプレイ装置と、ディスプレイパネルを含むリモートコントローラとを含み、
前記ディスプレイ装置は、共通電極と個々の画素に応じた電極とによって液晶層を挟んだ構成を有するディスプレイパネルと、当該ディスプレイ装置の前記ディスプレイパネルの前記共通電極に共通電圧を供給する駆動回路と、前記リモートコントローラから送信されたコマンドに応じたデータを応答する通信回路とを有し、
前記リモートコントローラは、複数のキーを含むとともに押されたキーに対応するコードを発生するキーパッドと、前記ディスプレイ装置と無線通信する送受信器と、前記キーパッドから発生した前記コードに応答して前記ディスプレイ装置に送られる命令を生成して前記送受信器から前記ディスプレイ装置へ送信させ、前記命令に応じて前記送受信器によって前記ディスプレイ装置から受信したデータを前記リモートコントローラの前記ディスプレイパネルに表示させる制御を実行するマイクロコントローラとを有する、ディスプレイシステムであって、
前記命令がフリッカーパターンディスプレイ命令であった場合には、前記ディスプレイ装置の通信回路が、前記駆動回路から前記ディスプレイ装置の前記ディスプレイパネルの前記共通電極に供給される共通電圧の値を読み出し、読み出した共通電圧の値をリモートコントローラへ送信し、前記リモートコントローラのマイクロコントローラが、受信した共通電圧の値を前記リモートコントローラの前記ディスプレイパネルに表示する
ことを特徴とするディスプレイシステム。
【請求項２】
前記リモートコントローラのマイクロコントローラは、
前記受信した共通電圧の値を調整し、調整された共通電圧の値を前記ディスプレイ装置に送る
ことを特徴とする請求項１に記載のディスプレイシステム。
【請求項３】
前記ディスプレイ装置の通信回路は、
前記駆動回路とデジタルインターフェースを通じて接続され、前記リモートコントローラから受信された前記フリッカーパターンディスプレイ命令に応答してデジタルインターフェースを通じて前記駆動回路から前記共通電圧の値を読み出し、前記リモートコントローラへ送信する
ことを特徴とする請求項１に記載のディスプレイシステム。
【請求項４】
前記ディスプレイ装置の通信回路は、リモートコントローラから前記調整された共通電圧の値を受信すると、前記リモートコントローラから受信された前記調整された共通電圧の値を前記駆動回路に提供する
ことを特徴とする請求項２に記載のディスプレイシステム。
【請求項５】
前記デジタルインターフェースはシリアルデジタルインターフェースである
ことを特徴とする請求項３に記載のディスプレイシステム。
【請求項６】
前記デジタルインターフェースは双方向性を有するＩ２Ｃインターフェースである
ことを特徴とする請求項５に記載のディスプレイシステム。
【請求項７】
前記ディスプレイ装置の通信回路は、前記フリッカーパターンディスプレイ命令に応じて、前記ディスプレイパネルにフリッカーパターンを表示し、
前記リモートコントローラは、前記ディスプレイ装置のフリッカー程度を感知するための光センサを含む
ことを特徴とする請求項１に記載のディスプレイシステム。
【請求項８】
前記リモートコントローラは、
周辺温度を感知するための温度センサをさらに含むことを特徴とする請求項６に記載のディスプレイシステム。
【請求項９】
ディスプレイ装置と、
前記ディスプレイ装置と無線通信する送受信器と、情報を表示するためのディスプレイパネルと、前記ディスプレイ装置に送られる命令を生成して前記送受信器から前記ディスプレイ装置へ送信させ、前記命令に応じて前記送受信器によって前記ディスプレイ装置から受信したデータを前記ディスプレイパネルに表示させる制御を実行するマイクロコントローラとを含むリモートコントローラとを含み、
前記ディスプレイ装置は、
共通電極と個々の画素に応じた電極とによって液晶層を挟んだ構成を有するディスプレイパネルと、
前記ディスプレイパネルの前記共通電極に共通電圧を供給する駆動回路と、
前記リモートコントローラからフリッカーパターンディスプレイ命令を受信すると、前記駆動回路から当該ディスプレイ装置の前記ディスプレイパネルに前記共通電極に供給される共通電圧の値を読み出し、読み出した共通電圧の値をリモートコントローラへ送信する送受信器と、
通信ネットワークを通じて外部ホストに装置情報を送るためのネットワーク通信ユニットを含むことを特徴とするディスプレイシステム。
【請求項１０】
映像信号及び駆動信号を提供する映像処理装置を含み、前記駆動信号に応答して前記映像信号を表示するディスプレイ装置と、
前記ディスプレイ装置と無線通信する送受信器と、情報を表示するためのディスプレイパネルと、前記ディスプレイ装置に送られる命令を生成して前記送受信器から前記ディスプレイ装置へ送信させ、前記命令に応じて前記送受信器によって前記ディスプレイ装置から受信したデータを前記ディスプレイパネルに表示させる制御を実行するマイクロコントローラとを含むリモートコントローラとを含み、
前記ディスプレイ装置は、
共通電極と個々の画素に応じた電極とによって液晶層を挟んだ構成を有するディスプレイパネルと、
当該ディスプレイ装置の前記ディスプレイパネルの前記共通電極に共通電圧を供給する駆動回路と、
前記リモートコントローラからフリッカーパターンディスプレイ命令を受信すると、前記駆動回路から当該ディスプレイ装置の前記ディスプレイパネルの前記共通電極に供給される共通電圧の値を読み出し、読み出した共通電圧の値をリモートコントローラへ送信する送受信器と、
通信ネットワークを通じて外部ホストと通信し、前記外部ホストから入力される制御信号を前記映像処理装置に提供するネットワーク通信ユニットとを含むことを特徴とするディスプレイシステム。
【発明の詳細な説明】
【技術分野】
【０００１】
本発明はディスプレイシステムに係り、より具体的には公衆情報ディスプレイ（ｐｕｂｌｉｃ  ｉｎｆｏｒｍａｔｉｏｎ  ｄｉｓｐｌａｙ:ＰＩＤ）システムに関する。
【背景技術】
【０００２】
空港、汽車駅の待合室、競技場、公演場及び病院などの公共場所に情報表示のための公衆情報ディスプレイ装置を設けることは一般化されており、空間占有を最小化して、かつ低消費電力のために、公衆情報ディスプレイ装置には平板ディスプレイ装置が多用されている。平板ディスプレイ装置は映像表示パネルの種類に応じてＯＬＥＤ（Ｏｒｇａｎｉｃ  Ｌｉｇｈｔ  Ｅｍｉｔｔｉｎｇ  Ｄｉｏｄｅ）、ＬＣＤ（Ｌｉｑｕｉｄ  Ｃｒｙｓｔａｌ  Ｄｉｓｐｌａｙ）、ＦＥＤ（Ｆｉｅｌｄ  Ｅｍｉｓｓｉｏｎ  Ｄｉｓｐｌａｙ）、ＶＦＤ（Ｖａｃｕｕｍ  Ｆｌｕｏｒｅｓｃｅｎｔ  Ｄｉｓｐｌａｙ）、ＰＤＰ（Ｐｌａｓｍａ  Ｄｉｓｐｌａｙ  Ｐａｎｅｌ）などがある。
【０００３】
一般的に、平板ディスプレイ装置は前面部にＯＳＤ（ｏｎ  ｓｃｒｅｅｎ  ｄｉｓｐｌａｙ）調整ボタンを具備して、ユーザによって画面の明暗、明るさ、水平位置、垂直位置、輪郭補正などの特性が調整されるように構成される。
【０００４】
一方、公衆情報ディスプレイ装置として用いられる平板ディスプレイ装置は天井にぶら下げられるように配置されるか、壁面の高い所に付着して人々の通行に邪魔にならないように設けられる。このように高い所に設けられた平板ディスプレイ装置の特性を変更することは容易ではない。
【０００５】
公衆情報ディスプレイ装置は、大衆に情報を知らせるための目的として使われるので、故障をあらかじめ防止しなければならない必要性が高く、残余の寿命に対する管理も必要である。このような故障防止及び残余寿命管理のためにはディスプレイ装置の特性情報をモニタリングしなければならないことがあった。
【０００６】
また、公衆情報ディスプレイ装置は長期間動作状態にあるので、共通電圧ＶＣＯＭの変化によるフリッカー現象の発生率が高いが、ディスプレイ装置の共通電圧を調整することは困難であった。
【発明の開示】
【発明が解決しようとする課題】
【０００７】
本発明の目的は、ディスプレイ装置の特性情報を容易にモニタリング及び調整することができるディスプレイシステムを提供することにある。
【０００８】
本発明の他の目的は、ディスプレイ装置の特性情報を容易にモニタリング及び調整することができるディスプレイシステムの動作方法を提供することにある。
【０００９】
本発明の他の目的は、ディスプレイ装置の特性情報を容易にモニタリング及び調整することができるリモートコントローラの動作方法を提供することにある。
【００１０】
本発明の他の目的は、リモートコントローラの制御に応答して特性情報をリモートコントローラに提供し、特性情報をリモートコントローラから受信された調整値に変更することができるディスプレイ装置の制御方法を提供することにある。
【課題を解決するための手段】
【００１１】
上述した目的を解決するために本発明の特徴によれば、ディスプレイシステムはディスプレイ装置、及びリモートコントローラを含む。リモートコントローラは前記ディスプレイ装置と無線通信して前記装置情報を獲得し、獲得された装置情報を表示するためのディスプレイパネルを含む。
【００１２】
前記リモートコントローラは、複数のキーを含み、押されたキーに対応するコードを発生するキーパッドと、前記キーパッドからの前記コードに応答して前記ディスプレイ装置に送られる命令を生成し、前記ディスプレイ装置から獲得された前記装置情報を前記ディスプレイパネルに表示するマイクロコントローラと、前記マイクロコントローラの制御に応じて前記ディスプレイ装置と無線通信する送受信器とを含む。
【００１３】
また前記リモートコントローラは、前記獲得された装置情報を調整し、調整された装置情報を前記ディスプレイ装置に送ることができる。
【００１４】
前記ディスプレイ装置は、前記装置情報を含む駆動回路と、前記駆動回路とデジタルインターフェースを通じて接続され、前記リモートコントローラから受信された命令に応答して動作する通信回路とを含む。
【００１５】
前記通信回路は、前記駆動回路と前記デジタルインターフェースを通じて接続され、前記リモートコントローラから受信された命令に応答して前記デジタルインターフェースを通じて前記駆動回路から前記装置情報を読み出し、前記リモートコントローラから受信された前記調整された装置情報を前記駆動回路に提供するプロセッサと、前記プロセッサの制御に応答して前記リモートコントローラと無線通信する送受信器とを含む。
【００１６】
前記インターフェースはシリアルデジタルインターフェースであり、双方向性を有するＩ２Ｃ（Ｉｎｔｅｒ  Ｉｎｔｅｇｒａｔｅｄ  Ｃｉｒｃｕｉｔ）インターフェースである。
【００１７】
前記リモートコントローラは、前記ディスプレイ装置のフリッカーの程度を感知するための光センサ及び周辺温度を感知するための温度センサをさらに含み、前記光センサは前記リモートコントローラの背面に構成されることがのぞましい。
【００１８】
本発明の他の特徴に係るディスプレイ装置及び前記ディスプレイ装置と無線通信するリモートコントローラを含むディスプレイシステムの動作方法は、前記リモートコントローラから前記ディスプレイ装置に装置情報要求命令を送り、前記装置情報要求命令に応答して前記ディスプレイ装置から前記リモートコントローラに装置情報を送り、前記ディスプレイ装置から受信された前記装置情報を前記リモートコントローラのディスプレイパネルに表示する各段階とを含む。
【００１９】
前記ディスプレイシステムの動作方法は、前記リモートコントローラから前記ディスプレイ装置に前記装置情報を調整するための調整命令を送り、前記調整命令に応答して前記ディスプレイ装置の前記装置情報を調整する各段階をさらに含むことができる。
【００２０】
本発明の他の特徴に係るディスプレイ装置及び前記ディスプレイ装置と無線通信するリモートコントローラを含むディスプレイシステムにおける前記リモートコントローラの動作方法は、動作モードを選択し、選択された動作モードに対応する命令を前記ディスプレイ装置に送り、前記ディスプレイ装置から応答を受信し、受信された応答を前記リモートコントローラに具備されたディスプレイパネルに表示する各段階とを含む。
【００２１】
本発明の他の特徴に係るディスプレイ装置及び前記ディスプレイ装置と無線通信するリモートコントローラを含むディスプレイシステムにおける前記ディスプレイ装置の動作方法は、前記リモートコントローラから命令を受信し、前記受信命令に対応する制御を実行する各段階とを含む。
【００２２】
このようなディスプレイシステム及びその動作方法によれば、リモートコントローラを利用してディスプレイ装置の特性情報を容易にモニタリング及び調整することができる。
【００２３】
前記リモートコントローラは、複数のキーを含み、押されたキーに対応するコードを発生するキーパッドと、前記キーパッドからの前記コードに応答して前記ディスプレイ装置に送られる命令を生成し、前記ディスプレイ装置から獲得された前記装置情報を前記ディスプレイパネルに表示するマイクロコントローラと、前記マイクロコントローラの制御に応じて前記ディスプレイ装置と無線通信する送受信器とを含む。
【００２４】
この実施形態において、前記ネットワーク通信ユニットは、無線通信ネットワークを通じて第１ホストに前記装置情報を送る。
【００２５】
この実施形態において、前記ネットワーク通信ユニットは、有線通信ネットワークを通じて第２ホストに前記装置情報を送る。
【００２６】
本発明の他の特徴によれば、ディスプレイシステムは、映像信号及び駆動信号を提供する映像処理装置と、装置情報とを含み、前記駆動信号に応答して前記映像信号を表示するディスプレイ装置と、前記ディスプレイ装置と無線通信して前記装置情報を獲得し、獲得された装置情報を表示するためのディスプレイパネルを含むリモートコントローラとを含む。
【００２７】
前記ディスプレイ装置は、前記リモートコントローラと通信する送受信器と、通信ネットワークを通じて外部ホストと通信し、前記外部ホストから入力される制御信号を前記映像処理装置に提供するネットワーク通信ユニットとを含む。
【００２８】
この実施形態において、前記リモートコントローラは、複数のキーを含み、押されたキーに対応するコードを発生するキーパッドと、前記キーパッドからの前記コードに応答して前記ディスプレイ装置に送られる命令を生成し、前記ディスプレイ装置から獲得された前記装置情報を前記ディスプレイパネルに表示するマイクロコントローラと、前記マイクロコントローラの制御に応じて前記ディスプレイ装置と無線通信する送受信器とを含む。
【００２９】
前記ネットワーク通信ユニットは、無線通信ネットワークを通じて第１ホストに前記装置情報を送る。
【００３０】
前記ネットワーク通信ユニットは、有線通信ネットワークを通じて第２ホストに前記装置情報を送る。
【発明の効果】
【００３１】
本発明のディスプレイシステム及びその動作方法によれば、リモートコントローラを利用してディスプレイ装置の特性情報を容易にモニタリング及び調整することができる。
【発明を実施するための最良の形態】
【００３２】
以下、本発明の好ましい実施形態を添付の図面を参照して詳細に説明する。
【００３３】
図１は本発明の好ましい実施形態に係るディスプレイシステムの構成を示す図である。ディスプレイシステム１００は液晶表示装置２００と、リモートコントローラ３００とを含む。液晶表示装置２００はＯＬＥＤ、ＬＣＤ、ＦＥＤ、ＶＦＤ、及びＰＤＰのうちのいずれか一つである。液晶表示装置２００の前面部にはリモートコントローラ３００との信号送受信のための送受信端子（またはアンテナ）２０１が具備される。液晶表示装置２００とリモートコントローラ３００との間に送受信される信号は例えば、ＲＦ（ｒａｄｉｏ    ｆｒｅｑｕｅｎｃｙ）信号である。本発明の一実施形態において、図１に示した液晶表示装置２００は公衆情報ディスプレイＰＩＤ装置として使われることが可能である。
【００３４】
リモートコントローラ３００は前面部に配置されたディスプレイパネル３０１及びキーパッド３０２を含む。リモートコントローラ３００の一面には液晶表示装置２００との信号送受信のための送受信端子（または図示しないアンテナ）が具備される。
【００３５】
リモートコントローラ３００はキーパッド３０２に具備された多数のキーのうち押されたキーに対応するコードに応答して液晶表示装置２００と無線通信して液晶表示装置２００の装置情報を獲得し、獲得された装置情報をディスプレイパネル３０１に表示する。また、リモートコントローラ３００は獲得された装置情報を調整し、調整された装置情報を液晶表示装置２００に送る。
【００３６】
液晶表示装置２００はリモートコントローラ３００から受信された命令に応答して内部に記憶（貯蔵）された装置情報をリモートコントローラ３００に提供するか、またはリモートコントローラ３００によって調整された装置情報を内部に記憶する。
【００３７】
このような構成を有する本発明のディスプレイシステム１００によれば、ユーザは液晶表示装置２００とＲＦ通信が可能な距離範囲でリモートコントローラ３００を利用して液晶表示装置２００の装置情報をモニタリングするか、または装置情報を変更することができる。
【００３８】
図２は図１に示したディスプレイ装置の一例である液晶表示装置の内部構成を具体的に示すブロック図である。
【００３９】
図２を参照すれば、本発明の一実施形態に係る液晶表示装置２００は、液晶パネル２１０、ゲート駆動回路２２０、データ駆動回路２３０、通信回路２４０、制御回路２５０及び外部インターフェース２６０を含む。
【００４０】
液晶パネル１１０に互いに交差する複数のゲートラインＧＬ１〜ＧＬｎと複数のデータラインＤＬ１〜ＤＬｍが具備され、ゲートラインＧＬ１〜ＧＬｎとデータラインＤＬ１〜ＤＬｍによって定義された複数の画素領域には映像を表示する最小単位である複数の画素がそれぞれ具備される。画素のそれぞれは薄膜トランジスタＴｒと液晶キャパシタＣｌｃからなる。例えば、第１画素領域における薄膜トランジスタＴｒのゲート電極は第１ゲートラインＧＬ１に接続され、ソース電極は第１データラインＤＬ１に接続され、ドレイン電極は液晶キャパシタＣｌｃの一端に接続される。
【００４１】
ゲート駆動回路２２０はチップ形態からなり、複数のゲートラインＧＬ１〜ＧＬｎに電気的に接続される。ゲート駆動回路２２０は第１同期信号ＳＹＮＣ１、第１及び第２クロック信号ＣＫＶ、ＣＫＶＢ、第１及び第２駆動電圧ＶＯＮ、ＶＯＦＦに応答してゲート信号を複数のゲートラインＧＬ１〜ＧＬｎに順次に出力する。データ駆動回路２３０はチップ形態からなり、複数のデータラインＤＬ１〜ＤＬｍに電気的に接続される。データ駆動回路２３０は第２同期信号ＳＹＮＣ２、アナログガンマ電圧ＶＧＭＭＡ及び第３駆動電圧ＡＶＤＤに応答してデータ信号を複数のデータラインＤＬ１〜ＤＬｍに出力する。
【００４２】
一方、制御回路２５０は外部インターフェース２６０を通じて外部装置（図示しない）と接続される。外部インターフェース２６０は外部装置から提供された各種の信号を液晶表示装置２００に適切な信号に変換した後、制御回路２５０に提供する。制御回路２５０はインバータコントローラ２５１、輝度センサ２５２、温度センサ２５３、ガンマ電圧発生回路２５４、タイミングコントローラ２５５、不揮発性メモリ２５６、共通電圧発生回路２５７、電源電圧発生回路２５８、及び内部インターフェース２５９を含む。
【００４３】
内部インターフェース２５９はデジタルシリアル（直列）インターフェースであり、制御回路２５０内のデバイス（インバータコントローラ２５１、輝度センサ２５２、温度センサ２５３、ガンマ電圧発生回路２５４、タイミングコントローラ２５５、不揮発性メモリ２５６、共通電圧発生回路２５７及び電源電圧発生回路２５８）は内部インターフェース２５９を通じて互いにデータ通信を実行する。
【００４４】
内部インターフェース２５９はデジタルシリアルインターフェースの一つであるＩ２Ｃ（Ｉｎｔｅｒ  ｉｎｔｅｇｒａｔｅｄ  ｃｉｒｃｕｉｔ）インターフェースからなる。Ｉ２Ｃインターフェースは双方向性２−ワイヤインターフェースとして、データ通信のためのシリアルデータラインＳＤＡと前記回路との間のデータ通信を制御及び同期化するためのシリアルクロックラインＳＣＬからなる。Ｉ２Ｃインターフェースに接続された回路は固有のアドレスにより識別され、回路のそれぞれはデータを送信または受信することができる。回路の間でデータ伝達はマスタ―スレーブプロトコル方式で行われる。マスタはデータ伝送を開始し、かつクロック信号を生成し、マスタを除いた残りの回路はマスタとデータを取り交わすスレーブである。
【００４５】
本発明の一実施形態に係る制御回路２５０におけるマスタはタイミングコントローラ２５５であり、スレーブは不揮発性メモリ２５９、ガンマ電圧発生回路２５４、共通電圧発生回路２５７及び電源電圧発生回路２５８である。Ｉ２Ｃインターフェースはマルチマスタを有することができる。以下に説明する通信回路２４０内のプロセッサ２４２も内部インターフェース２５９のマスタとして動作する。
【００４６】
図２では内部インターフェース２５９が２−ワイヤバスであるＩ２Ｃインターフェースからなることを示したが、内部インターフェース２５９は３−ワイヤバスであるシリアル周辺インターフェース（Ｓｅｒｉａｌ  Ｐｅｒｉｐｈｅｒａｌ  Ｉｎｔｅｒｆａｃｅ;以下、ＳＰＩという）からなることもできる。図示しないが、ＳＰＩはデータ伝送のための第１シリアルデータライン、データ受信のための第２シリアルデータライン及びデバイスの間のデータ通信を制御及び同期化するためのシリアルクロックラインからなる。
【００４７】
インバータコントローラ２５１はバックライト（ｂａｃｋｌｉｇｈｔ、図示しない）に高電圧を供給するインバータ（図示しない）の動作を制御する。輝度センサ２５２は液晶パネル２１０にディスプレイされる映像の輝度を感知するためのセンサであり、温度センサ２５３は周辺温度感知センサである。温度センサ２５３はパネル２１０表面温度、制御回路２５０が実装された基板温度などを有するように設計されてもよい。
【００４８】
タイミングコントローラ２５５はチップ形態からなり、外部インターフェース２６０から映像データＩ−ＤＡＴＡと外部同期信号ＳＹＮＣ、ＭＣＬＫ、ＤＥが入力される。タイミングコントローラ２５５は映像データＩ−ＤＡＴＡを１フレーム単位でフレームメモリ（図示しない）に記憶した後、１ライン単位で読み出してデータ駆動回路２３０に提供する。また、タイミングコントローラ２５５は外部同期信号ＳＹＮＣ、ＭＣＬＫ、ＤＥを第１及び第２同期信号ＳＹＮＣ１、ＳＹＮＣ２、第１及び第２クロック信号ＣＫＶ、ＣＫＶＢに変換して出力する。
【００４９】
不揮発性メモリ２５６は例えば、ＥＥＰＲＯＭである。不揮発性メモリ２５６には内部インターフェース２５９を通じて入力された液晶パネル２１０に関する情報、例えば解像度とパネルサイズなどからなる初期データが記憶される。不揮発性メモリ２５６には液晶パネル２１０に表示された画面の平均輝度に応じて異なる階調値を有するガンマデータが記憶される。画面の平均輝度が基準輝度より高ければ、ガンマデータは基準ガンマより高い階調を有し、平均輝度が基準輝度より低ければ、ガンマデータは基準ガンマより低い階調を有する。
【００５０】
タイミングコントローラ２５５は不揮発性メモリ２５６に記憶されたデジタル形態のガンマデータを同期信号とともに内部インターフェース２５９を通じてガンマ電圧発生回路２５４に送る。ガンマ電圧発生回路２５４はタイミングコントローラ２５５からの同期信号に応答してガンマデータをアナログ形態のガンマ電圧ＶＧＭＭＡに変換する。ガンマ電圧発生回路２５４から出力されたガンマ電圧ＶＧＭＭＡはデータ駆動回路２３０に送られる。
【００５１】
タイミングコントローラ２５５は不揮発性メモリ２５６に記憶されたデータに基いて駆動電圧データを生成し、駆動電圧データと同期信号を内部インターフェース２５９を通じて電源電圧発生回路２５８に送る。電源電圧発生回路２５８は同期信号と駆動電圧データに応答して外部電圧Ｖｐを液晶パネル２１０に適する第１乃至第３駆動電圧ＶＯＮ、ＶＯＦＦ、ＡＶＤＤ、ロジック電圧（図示しない）に変換して出力する。ここで、ロジック電圧は共通電圧発生回路２５７、タイミングコントローラ２５５及びガンマ電圧発生回路２５４を駆動させるための電圧である。
【００５２】
タイミングコントローラ２５５は不揮発性メモリ２５６に記憶されたデータに基いて共通電圧データを生成し、共通電圧データと同期信号を内部インターフェース２５９を通じて共通電圧発生回路２５７に送る。共通電圧発生回路２５７は共通電圧データと同期信号に応答して第３駆動電圧ＡＶＤＤを液晶パネル２１０に適する共通電圧ＶＣＯＭに変換して出力する。
【００５３】
通信回路２４０は送受信器２４１、プロセッサ２４２、及びメモリ２４３を含む。送受信器２４１は送受信端子（またはアンテナ、２０１）を通じてリモートコントローラ３００から受信された無線信号をデジタル信号に変換してプロセッサ２４２に提供し、プロセッサ２４２からリモートコントローラ３００に送られるデジタル信号を無線信号に変換して送受信端子２０１を通じてリモートコントローラ３００に送る。
【００５４】
プロセッサ２４２は内部インターフェース２５９を通じて制御回路２４０内のデバイスと接続される。プロセッサ２４２はリモートコントローラ３００から受信された命令に応答して液晶表示装置２００の装置情報すなわち、制御回路２４０内のデバイス情報（例えば、輝度、温度、共通電圧、階調電圧など）または不揮発性メモリ２５６に記憶されたデータ（例えば、解像度、製造番号、累積使用時間、色相パラメータ、応答速度パラメータなど）をリモートコントローラ３００に提供するか、または制御回路２４０内のデバイスの情報を変更する。メモリ２４３はプロセッサ２４２によって実行されるプロセスのプログラムを記憶する。
【００５５】
図３は図１に示した本発明の一実施形態に係るリモートコントローラ３００の具体的な構成を示す図である。
【００５６】
図３を参照すれば、リモートコントローラ３００はディスプレイパネル３０１、キーパッド３０２、光センサ３０３、温度センサ３０４、マイクロコントローラ３０５、送受信器３０６、及び送受信端子３０７を含む。
【００５７】
ディスプレイパネル３０１はＬＣＤ及びＯＬＥＤのうちのいずれか一つで構成され、マイクロコントローラ３０５の制御に応じてユーザによって選択される命令及び液晶装置２００の装置情報を表示する。キーパッド３０２は複数のキーを含み、ユーザによって押されたキーに対応するコードをマイクロコントローラ３０５に提供する。ディスプレイパネル３０１がタッチスクリーンパネルに実現される場合、キーパッド３０２は不必要でありうる。タッチスクリーンパネルは押された座標に対応するコードをマイクロコントローラ３０５に提供する。光センサ３０３は液晶表示装置２００の液晶パネル２１０の輝度感知のためのセンサである。温度センサ３０４は周辺温度を感知するためのセンサである。ユーザによってキーパッド３０２を通じて温度感知モードが選択されれば、マイクロコントローラ３０５は温度センサ３０４を動作させる。温度センサ３０４によって感知された温度はマイクロコントローラ３０５の制御に応じてディスプレイパネル３０１に表示される。ユーザはディスプレイパネル３０１に表示された周辺温度を考慮して液晶表示装置２００の特性を調整することができる。
【００５８】
図３に示したリモートコントローラ３００は光センサ３０３及び温度センサ３０４を含むが、液晶表示装置２００の特性をモニタリング及び調整するために必要な多様なセンサを含んでもよい。
【００５９】
送受信器３０６は送受信端子３０７を通じて液晶表示装置２００から伝送された無線信号をデジタル信号に変換してマイクロコントローラ３０５に提供し、マイクロコントローラ３０５から液晶表示装置２００に伝送されるデジタル信号を無線信号に変換して送受信端子３０７を通じて液晶表示装置２００に送る。
【００６０】
リモートコントローラ３００はパワーオンされる時、ディスプレイパネル３０１に選択画面をディスプレイする。選択画面はユーザによって選択される動作モードを含む。動作モードは例えば、モニタリングモードと調整モードとを含む。モニタリングモードは累積使用時間表示モード、及び共通電圧ＶＣＯＭ／ガンマ電圧ＶＧＭＭＡ表示モードを含み、調整モードはフリッカー受動調整モード及びフリッカー自動調整モードを含む。
【００６１】
累積使用時間は液晶表示装置２００内の不揮発性メモリ２５６に記憶された情報として、液晶表示装置２００が動作状態に置かれたすべて時間情報である。累積使用時間表示モードは不揮発性メモリ２５６に記憶された累積使用時間情報を表示するためのモードである。
【００６２】
共通電圧ＶＣＯＭ／ガンマ電圧ＶＧＭＭＡ表示モードは共通電圧発生回路２５７の共通電圧ＶＣＯＭデータ及びガンマ電圧発生回路２５４のガンマ電圧ＶＧＭＭＡデータを表示するためのモードである。この実施形態において、共通電圧発生回路２５７及びガンマ電圧発生回路２５４のそれぞれが共通電圧ＶＣＯＭデータとガンマ電圧ＶＧＭＭＡデータを記憶するためのレジスタを具備し、プロセッサ２４２は共通電圧発生回路２５７及びガンマ電圧発生回路２５４から共通電圧ＶＣＯＭデータとガンマ電圧ＶＧＭＭＡデータを読み出す。他の実施形態によるプロセッサ２４２は、共通電圧ＶＣＯＭ／ガンマ電圧ＶＧＭＭＡ表示モードでタイミングコントローラ２５５から共通電圧ＶＣＯＭデータとガンマ電圧ＶＧＭＭＡデータを読み出すように設計されてもよい。
【００６３】
フリッカー受動及び自動調整モードは共通電圧ＶＣＯＭ変化によるフリッカー発生を減少させるために共通電圧発生回路２５７の共通電圧ＶＣＯＭデータを調整するモードである。
【００６４】
リモートコントローラ３００の動作モードには不揮発性メモリ２５６に記憶された多様な装置情報及び液晶表示装置２１０の動作状態をモニタリングするためのモードと不揮発性メモリ２５６に記憶された多様な装置情報を変更するためのモードをさらに含んでもよい。
【００６５】
図４及び図５は図３に示したリモートコントローラ３００内のマイクロコントローラ３０５の動作手順を示すフローチャートであり、図６は図２に示した液晶表示装置２００内のプロセッサ２４２の動作手順を示すフローチャートである。
【００６６】
まず、図３及び図４を参照すれば、ステップ（段階）４００で、ユーザによって動作モードが選択される。動作モード選択はリモートコントローラ３００に具備されたキーパッド３０２のキーが押さえられることによって達成される。マイクロコントローラ３０５はキーパッド３０２から入力されたコードから選択されたモードを判別する。マイクロコントローラ３０５は選択されたモードがモニタリングモードであれば、制御をステップ４０１に進行し、調整モードであれば、図５に示したステップ５０１に進める。
【００６７】
ステップ４０１において、ユーザによって動作モードが選択される。ユーザによって押されたキーに対応するコードはマイクロコントローラ３０５に入力される。マイクロコントローラ３０５は選択されたモードが累積使用時間表示モードであれば、制御をステップ４０２に進行し、選択されたモードが共通電圧ＶＣＯＭ／ガンマ電圧ＶＧＭＭＡ表示モードであれば、制御をステップ４０３に進める。図４に示した実施形態では累積使用時間表示モード及び共通電圧ＶＣＯＭ／ガンマ電圧ＶＧＭＭＡ表示モードが二つのステップ４００、４０１にわたって選択されるように示したが、動作モードは単一ステップに選択されるように変更されてもよい。
【００６８】
ステップ４０２で、マイクロコントローラ３０５は累積使用時間読み出し命令を生成する。ステップ４０３で、マイクロコントローラ３０５は共通電圧ＶＣＯＭ／ガンマ電圧ＶＧＭＭＡ読み出し命令を生成する。
【００６９】
ステップ４０４で、マイクロコントローラ３０５で生成された累積使用時間読み出し命令は送受信器３０６によって送受信端子３０７を通じて液晶表示装置２００に伝送される。
【００７０】
図６を参照すれば、ステップ６０１において、液晶表示装置２００内のプロセッサ２４２は受信命令が読み出し命令である時、リモートコントローラ３００によって要求されたデータを内部インターフェース２５９を通じて該当する装置から獲得する。プロセッサ２４２はリモートコントローラ３００によって要求されたデータが累積使用時間であれば、内部インターフェース２５９を通じて不揮発性メモリ２５６から累積使用時間を読み出す。プロセッサ２４２はリモートコントローラ３００によって要求されたデータが共通電圧ＶＣＯＭ／階調電圧ＶＧＭＭＡである時、共通電圧発生回路２５７からの共通電圧ＶＣＯＭデータと階調電圧発生回路２５４からの階調電圧ＶＧＭＭＡデータとを読み出す。
【００７１】
ステップ６１１において、プロセッサ２４２はリモートコントローラ６１０から受信された命令に対する応答を送受信器２４１及び送受信端子２０１を通じてリモートコントローラ６１０に送る。
【００７２】
図４を参照すれば、ステップ４０５において、マイクロコントローラ３０５は送受信端子３０７及び送受信器３０６を通じて液晶表示装置２００から応答信号を受信する。リモートコントローラ３００から液晶表示装置２００に伝送された命令が累積使用時間読み出し命令であれば、液晶表示装置２００から受信された応答信号は累積使用時間であり、リモートコントローラ３００から液晶表示装置２００に伝送された命令が共通電圧ＶＣＯＭ／ガンマ電圧ＶＧＭＭＡ読み出し命令であれば、液晶表示装置２００から受信された応答信号は共通電圧ＶＣＯＭ／ガンマ電圧ＶＧＭＭＡデータである。
【００７３】
ステップ４０６において、マイクロコントローラ３０５は液晶表示装置２００から受信された応答信号をディスプレイパネル３０１に表示する。
【００７４】
図４に示した実施形態では液晶表示装置２００から累積使用時間または共通電圧ＶＣＯＭ／ガンマ電圧ＶＧＭＭＡを獲得してリモートコントローラ３００のディスプレイパネル３０１に表示することを一例として説明した。図４に示した方法によれば、液晶表示装置２００の他の装置情報例えば、輝度、温度、解像度、製造番号、累積使用時間、色相パラメータ、応答速度パラメータなどを読み出して、リモートコントローラ３００のディスプレイパネル３０１に表示することが可能である。
【００７５】
図５は図４に示したステップ４００で調整モードが選択された時、リモートコントローラ３００内のマイクロコントローラ３０５の制御手順を示すフローチャートである。
【００７６】
ステップ５０１において、ユーザによって動作モードが選択される。ユーザによって押されたキーに対応するコードはマイクロコントローラ３０５に入力される。マイクロコントローラ３０５は選択されたモードがフリッカー受動調整モードであれば、制御をステップ５１０に進行し、選択されたモードがフリッカー自動調整モードであれば、制御をステップ５２０に進める。
【００７７】
ステップ５１０において、マイクロコントローラ３０５はキーパッド３０２から入力されたコードに応答してフリッカーパターン表示及び共通電圧ＶＣＯＭ読み出し命令を生成する。ここで、フリッカーパターンとはユーザによってフリッカーが容易に感知されるようにする特定映像パターンを言う。
【００７８】
ステップ５１１において、フリッカーパターン表示及び共通電圧ＶＣＯＭ読み出し命令は送受信器３０６によって送受信端子３０７を通じて液晶表示装置２００に伝送される。
【００７９】
図６に示したステップ６０１において、液晶表示装置２００内のプロセッサ２４２は受信された命令がフリッカーパターン表示及び共通電圧ＶＣＯＭ読み出し命令である時、制御をステップ６２０に進める。
【００８０】
ステップ６２０において、プロセッサ２４２はフリッカーパターンが液晶パネル２１０に表示されるようにタイミングコントローラ２５５を制御する。タイミングコントローラ２５５はゲートドライバ２２０とソースドライバ２３０とを制御して、内蔵したメモリ（図示しない）に記憶されたフリッカーパターンを液晶パネル２１０に表示する。
【００８１】
ステップ６２１において、プロセッサ２４２は共通電圧発生回路２５７から共通電圧ＶＣＯＭデータを読み出す。ステップ６２２において、プロセッサ２４２は読み出した共通電圧ＶＣＯＭデータをリモートコントローラ３００に送る。
【００８２】
再び、図５を参照すれば、ステップ５１２において、マイクロコントローラ３０５は送受信端子３０７及び送受信器３０６を通じて液晶表示装置２００から伝送された共通電圧ＶＣＯＭデータを受信し、受信された共通電圧ＶＣＯＭデータをディスプレイパネル３０１に表示する。
【００８３】
ステップ５１３において、マイクロコントローラ３０５にキーパッド３０２から共通電圧ＶＣＯＭ調整値が入力される。この時、ユーザは液晶表示装置２００の液晶パネル２１０に表示されたフリッカーパターンを見ながらキーパッド３０２を通じて共通電圧ＶＣＯＭ調整値を入力する。
【００８４】
ステップ５１４において、マイクロコントローラ３０５は調整された共通電圧ＶＣＯＭデータを液晶表示装置２００に送る。
【００８５】
図６のステップ６０１において、液晶表示装置２００内のプロセッサ２４２は受信された命令が共通電圧ＶＣＯＭ調整命令である時、制御をステップ６３０に進める。ステップ６３０において、プロセッサ２４２は調整された共通電圧ＶＣＯＭデータを内部インターフェース２５７を通じて共通電圧発生回路２５７に出力する。したがって、液晶パネル２１０には調整された共通電圧ＶＣＯＭデータに基いたフリッカーパターンが表示される。
【００８６】
再び、図５を参照すれば、ステップ５１４において、マイクロコントローラ３０５はユーザによってキーパッド３０２を通じてフリッカー調整完了に対応するコードが入力されれば制御を終了し、そうではなければ、ステップ５１３に制御をリターンして共通電圧ＶＣＯＭ調整値が再び入力される。
【００８７】
上述したステップ５１０乃至ステップ５１５は、ユーザが液晶表示装置２００の液晶パネル２１０にディスプレイされたフリッカーパターンを見て共通電圧ＶＣＯＭを調節することによって、フリッカーを調整する方法を示す。
【００８８】
フリッカーを調整するための他の方法として、ステップ５１３の共通電圧ＶＣＯＭデータ入力を自動にする方法がある。すなわち、マイクロコントローラ３０５は共通電圧ＶＣＯＭデータを一定の時間間隔ごとに順次に変化させ、変更された共通電圧ＶＣＯＭデータを液晶表示装置２００に送る。その結果、変更された共通電圧ＶＣＯＭによるフリッカーパターンが液晶パネル２１０に表示される。
【００８９】
ユーザは液晶パネル２１０に表示されたフリッカーパターンを見つめている途中フリッカー状態が最適化された時、キーパッド３０２を利用してフリッカー調整中止を選択する。ステップ５１５において、マイクロコントローラ３０５は調整中止に対応するコードが入力される時、調整が完了したと判断して調整モードを終了する。
【００９０】
続いて、フリッカー感知及び共通電圧ＶＣＯＭ調整を自動にするリモートコントローラ３００の制御手順を説明する。ステップ５０１において、マイクロコントローラ３０５はキーパッド３０２を通じてフリッカー自動調整モードに対応するコードが入力されれば、制御をステップ５２０に進める。
【００９１】
ステップ５２０において、マイクロコントローラ３０５はリモートコントローラ３１０の後面に装着された光センサ３０３を動作させる。光センサ３０３によって感知された液晶パネル２１０のフリッカー情報はマイクロコントローラ３０５に入力される。
【００９２】
ステップ５２１において、マイクロコントローラ３０５は光センサ３０３によって感知された液晶パネル２１０のフリッカーが最適状態であれば、フリッカー自動調整モードを終了し、最適状態ではなければ、制御をステップ５２２に進める。
【００９３】
ステップ５２２において、マイクロコントローラ３０５は共通電圧ＶＣＯＭデータを感知されたフリッカーに対応するレベルに調整する。
【００９４】
ステップ５２３において、マイクロコントローラ３０５は調整された共通電圧ＶＣＯＭデータを液晶表示装置２００に送り、制御をステップ５２０に戻す（リターンする）。
【００９５】
図６を参照すれば、ステップ６０１において、液晶表示装置２００内のプロセッサ２４２は受信された命令が共通電圧ＶＣＯＭ調整命令である時、リモートコントローラ３００から受信された共通電圧ＶＣＯＭデータを内部インターフェース２５９を通じて共通電圧発生回路２５７に伝達する。したがって、液晶パネル２１０には調整された共通電圧ＶＣＯＭによって変化されたフリッカーを有する映像が表示される。
【００９６】
再び、図５のステップ５２０において、光センサ３０３によって感知された液晶パネル２１０のフリッカー情報がマイクロコントローラ３０５に提供される、ステップ５２１において、液晶パネル２１０のフリッカーが最適化されたと判断される時、フリッカー自動調整モードは終了する。
【００９７】
図７は図１に示した本発明の一実施形態に係るリモートコントローラ３００の外観を示す図である。
【００９８】
図７を参照すれば、リモートコントローラ３００の後面には光センサ３０３が付着する。光センサ３０３はマイクロコントローラ３０５の制御に応じてフリッカー自動調整モードの間液晶表示装置２００の液晶パネル２１０のフリッカーを感知する。この時、ユーザはリモートコントローラ３００の後面に位置した光センサ３０３が液晶パネル２１０のフリッカーを正確に感知するように光センサ３０３を液晶パネル２１０と近く位置させる。他の実施形態において、液晶パネル２１０のフレーム領域にリモートコントローラ３００を付着することができる溝を形成するか、リモートコントローラ３００を立てることができる据置き台を付着する。このような場合、フリッカー自動調整モードの時、リモートコントローラ３００を液晶パネル２１０の溝に付着するか、据置き台に立てる容易な方法でリモートコントローラ３００の光センサ３０３を液晶パネル２１０に近く位置させることができる。
【００９９】
図８は本発明の他の実施形態による液晶表示装置の内部構成を示すブロック図である。
【０１００】
図８に示した液晶表示装置は図２に示した液晶表示装置２００と類似の構成を有するが、通信回路８４０の構成及び動作が図２に示した液晶表示装置２００内の通信回路２４０と異なっている。通信回路８４０は送受信器８４１、プロセッサ８４２、メモリ８４３、及びネットワーク通信部８４４を含む。
【０１０１】
送受信器８４１はアンテナ８０１を通じてリモートコントローラ８７０から受信された無線信号をデジタル信号に変換してプロセッサ８４２に提供し、プロセッサ８４２からリモートコントローラ８７０に伝送されるデジタル信号を無線信号に変換してアンテナ８０１を通じてリモートコントローラ８７０に送る。
【０１０２】
ネットワーク通信部８４４はアンテナ８０２を通じて第１ホスト８８０と通信し、有線通信チャンネル８０３を通じて第２ホスト８９０と通信する。ネットワーク通信部８４４はアンテナ８０２と有線通信チャンネル８０３とを全部具備するか、アンテナ８０２及び有線通信チャンネル８０３のうちのいずれか一つのみを具備することができる。第１ホスト８８０そして／または第２ホスト８９０はネットワーク通信部８４４を通じて液晶表示装置８００の装置情報（すなわち、製造一連番号、パネル大きさ、解像度、ガンマ値、輝度値など）を受信する。第１ホスト８８０そして／または第２ホスト８９０から提供されるガンマ値、輝度値、共通電圧レベルなどのような特性情報はネットワーク通信部８４４を通じて受信されて制御回路８５０に提供される。
【０１０３】
このように図８に示した液晶表示装置８００はリモートコントローラ８７０だけでなく無線そして／または有線で連結された第１ホスト８８０そして／または第２ホスト８９０と通信することができる。したがって、ユーザは第１ホスト８８０そして／または第２ホスト８９０を利用してディスプレイ装置の特性情報を容易にモニタリング及び調整することができる。
【０１０４】
図９は本発明のさらに他の実施形態に係るディスプレイシステムを示すブロック図である。
【０１０５】
図９に示したディスプレイシステム内の液晶表示装置９００は図８に示した液晶表示装置８００と類似の構成を有する。図９に示した通信部９４０内のネットワーク通信部９４４は外部の第１ホスト９８０そして／または第２ホスト９９０だけでなく、映像処理装置９９５と接続する。映像処理装置９９５は液晶表示装置２００に映像データ及び駆動信号を提供する。
【０１０６】
ネットワーク通信部９４４はアンテナ９０２を通じて第１ホスト９８０と通信し、有線通信チャンネル９０３を通じて第２ホスト９９０と通信する。ネットワーク通信部９４４はアンテナ９０２と有線通信チャンネル９０３とを全部具備するか、アンテナ９０２及び有線通信チャンネル９０３のうちのいずれか一つのみを具備することができる。第１ホスト９８０そして／または第２ホスト９９０はネットワーク通信部８４４を通じて液晶表示装置８００の装置情報を受信する。第１ホスト９８０そして／または第２ホスト９９０から提供されるガンマ値、輝度値、共通電圧レベルなどのような特性情報はネットワーク通信部９４４を通じて受信されて制御回路９５０に提供される。
【０１０７】
図９に示した液晶表示装置９００内のネットワーク通信部９４４は映像処理装置９９５と通信することができるので、リモートコントローラ９７０、第１ホスト９８０、及び第２ホスト９９０のうちのいずれか一つから提供される制御信号に応じて映像処理装置９９５の動作特性を変更することができる。
【０１０８】
特に、インターネットのような通信ネットワークを通じて第２ホスト９９０と液晶表示装置９００が連結されている場合、遠隔地で液晶表示装置９００の状態をモニタリングすることができ、液晶表示装置９００の動作環境を変更することができるので、顧客サポート費用が大幅に減少することができる。
【０１０９】
以上では、本発明に係る回路の構成及び動作を上述の説明及び図に基いて図示したが、これは例をあげて説明したことに過ぎず、本発明の技術的思想を逸脱しない範囲内で多様な変化及び変更が可能であることは勿論である。
【図面の簡単な説明】
【０１１０】
【図１】本発明の好ましい実施形態に係るディスプレイシステムの構成を示す図である。
【図２】図１に示したディスプレイ装置の一例である人液晶表示装置の内部構成を具体的に示すブロック図である。
【図３】図１に示した本発明の一実施形態に係るリモートコントローラの具体的な構成を示す図である。
【図４】図３に示したリモートコントローラ内のマイクロコントローラの動作手順を示すフローチャートである。
【図５】図３に示したリモートコントローラ内のマイクロコントローラの動作手順を示すフローチャートである。
【図６】図２に示した液晶表示装置内のプロセッサの動作手順を示すフローチャートである。
【図７】図１に示した本発明の一実施形態に係るリモートコントローラの外観を示す図である。
【図８】本発明の他の実施形態に係る液晶表示装置の内部構成を示すブロック図である。
【図９】本発明のさらに他の実施形態に係るディスプレイシステムを示すブロック図である。
【符号の説明】
【０１１１】
１００  ディスプレイシステム             
２００  液晶表示装置
２０１、３０７  送受信端子                      
２１０  液晶パネル
２２０  ゲート駆動回路                   
２３０  データ駆動回路
２４０  通信回路                         
２４１、３０６  送受信器
２４２  プロセッサ                       
２４３  メモリ
２５０  駆動回路                         
２５１  インバータコントローラ
２５２  輝度センサ                       
２５３、３０４  温度センサ
２５４  ガンマ電圧発生回路        
２５５  タイミングコントローラ
２５６  不揮発性メモリ                   
２５７  共通電圧発生回路
２５８  電源電圧発生回路          
２５９  内部インターフェース
２６０  外部インターフェース                    
３００  リモートコントローラ
３０１  ディスプレイパネル               
３０２  キーパッド
３０３  光センサ                         
３０５  マイクロコントローラ             
８４４  ネットワーク通信部
８８０、９８０  第１ホスト               
８９０、９９０  第２ホスト
９９５  映像処理装置
【図１】
0005312729.tif 000002
【図２】
0005312729.tif 000003
【図３】
0005312729.tif 000004
【図４】
0005312729.tif 000005
【図５】
0005312729.tif 000006
【図６】
0005312729.tif 000007
【図７】
0005312729.tif 000008
【図８】
0005312729.tif 000009
【図９】
0005312729.tif 000010